(57)【要約】【課題】バーナカバーに鋲もしくはビスを挿通するための貫通孔を形成せずに済むコンロバーナを提供する。【解決手段】環状のバーナ本体１上にバーナキャップ２を載設して炎口を設けると共に、バーナキャップ２の上面２ａ上に所定の間隔を隔ててバーナキャップ２の上面２ａを覆うバーナカバー３を配置して、バーナ本体１及びバーナキャップ２の中央に上下に開口した上下開口部４２を通ってバーナキャップ２の上面２ａ側に導入される空気をバーナキャップ２の上面２ａとバーナカバー３との間に通してバーナキャップ２の外周部に導くようにしたコンロバーナ４において、バーナキャップ２の上面２ａにバーナカバー３の支持及び係止を行うための支持係止部５を設けると共に、バーナカバー３の下面３ｂに前記バーナキャップ２の支持係止部５に係止されてバーナカバー３の支持を行うための被支持係止部６を設けた。【選択図】図１
2008008596.tif 000002
【特許請求の範囲】
【請求項１】
環状のバーナ本体のバーナベース上に環状のバーナキャップを載設して、バーナキャップの外周部又は／及びバーナベースの外周部に炎口を設けると共に、バーナキャップの上面上に所定の間隔を隔ててバーナキャップの上面を覆うバーナカバーを配置して、バーナ本体及びバーナキャップの中央に上下に開口した上下開口部を通ってバーナキャップの上面側に導入される空気をバーナキャップの上面とバーナカバーとの間に通してバーナキャップの外周部に導くようにしたコンロバーナにおいて、バーナキャップの上面にバーナカバーの支持及び係止を行うための支持係止部を設けると共に、バーナカバーの下面に前記バーナキャップの支持係止部に係止されてバーナカバーの支持を行うための被支持係止部を設けて成ることを特徴とするコンロバーナ。
【請求項２】
バーナキャップの支持係止部とバーナカバーの被支持係止部とを周方向に複数設けるものであって、一部の支持係止部と被支持係止部とに、側方から係合されて上下方向への抜け止めとなると共に係合した状態でバーナカバーが前記係合した部分を中心に回動可能となる側方係合部と側方被係合部とを設け、残りの支持係止部と被支持係止部とに、上下方向に係合されて側方への抜け止めとなる上下係合部と上下被係合部とを設けて成ることを特徴とする請求項１記載のコンロバーナ。
【請求項３】
バーナキャップの支持係止部とバーナカバーの被支持係止部とを周方向に略１２０°毎に三個ずつ設けるものであって、支持係止部のうちの二個に、バーナキャップの上面から上方に突出する立設片と該立設片の上端部から外方に向けて連設される横片とからなる側方係合部を設け、前記側方係合部を設けた支持係止部に対応する被支持係止部に、バーナカバーの下面から下方に垂下される垂下片と該垂下片の下端部から内方に向けて連設される横片とからなる側方被係合部を設け、残りの支持係止部に、バーナキャップの上面から上方に突出する被挟持片と該被挟持片の上端部から略水平方向に連設されて上面がバーナカバーの載置面となると共に位置決め片が挿入されて位置決めする切欠を形成した載置片とからなる上下係合部を設け、前記上下係合部を設けた支持係止部に対応する被支持係止部に、バーナカバーの下面から下方に垂下される位置決め片と該位置決め片の下端部から外方に向けて連設される抜け止め片とからなる上下被係合部を設け、バーナカバーの被支持係止部の側方被係合部をバーナキャップの支持係止部の側方係合部に係合してからバーナカバーの残りの支持係止部の上下係合部をバーナキャップの残りの被支持係止部の上下被係合部に係合した状態で、被挟持片と位置決め片とをクリップピンにて挟持して成ることを特徴とする請求項２記載のコンロバーナ。
【発明の詳細な説明】
【技術分野】
【０００１】
本発明は、コンロバーナに関するものである。
【背景技術】
【０００２】
コンロバーナは、ガスと一次空気を混合するための円環状の混合室が備えられたバーナ本体の上に、円環状のバーナキャップを載置して、その外周部に炎口を設けるように形成されている。バーナキャップの下面には下方に開口する炎口用溝が放射状に形成してあり、この炎口用溝とバーナ本体の上面との間の空間が混合室でガスと一次空気とが混合された混合ガスの流路となり、バーナキャップの外周部に多数の炎口が列設されるようにしてある。なお、バーナ本体に炎口用溝を形成してバーナ本体の外周部に炎口が列設されるようにしてもよい。
【０００３】
バーナキャップには、バーナカバーをバーナキャップの上面の略全面を覆わせるように被着してある。コンロバーナは、炎口周囲の空気は勿論、バーナ本体及びバーナキャップの中央に設けた上下開口部からの空気をバーナキャップとバーナカバーとの間の空間を通して二次空気として炎口付近に供給させることで、炎口で火炎を効率よく燃焼させているとともに、バーナカバーによってバーナキャップの上面に鍋などから煮汁が直接零れ落ちるのを防止している（例えば特許文献１参照）。
【０００４】
ところで、上記特許文献１に示すような従来のコンロバーナにおいては、バーナカバーのバーナキャップへの取り付けは、図１６に示すようにバーナカバー３’に形成した係止体３１’をバーナキャップ２’上に突設した係止用支持軸２１’に引っ掛けると共に、バーナカバーに形成した鋲もしくはビス取付用の貫通孔４’の上から鋲もしくはビスを挿通してバーナキャップ上に突設した固定用支持軸５’に固定することで行っている。
【０００５】
この従来例にあっては、バーナカバーに鋲もしくはビスを挿通するための貫通孔を形成するものであるため、バーナカバーに零れ落ちた煮汁が貫通孔からバーナキャップへと侵入してしまう惧れがあり、また、バーナカバーに零れ落ちた煮汁により貫通孔の部分および鋲もしくはビスが腐食してしまう惧れがあり、また、上方からバーナカバーを見た際に鋲もしくはビスが見えてデザイン性が悪く、また、鋲もしくはビス等が必要となって部品点数が増大してコスト高となる、といった問題があるものであった。
【特許文献１】特開２００３−８３５１２号公報
【発明の開示】
【発明が解決しようとする課題】
【０００６】
本発明は上記の従来の問題点に鑑みて発明したものであって、その目的とするところは、バーナカバーに鋲もしくはビスを挿通するための貫通孔を形成せずに済んで、バーナカバーに形成した貫通孔に鋲もしくはビスを挿通してバーナキャップに固定することにより、煮汁が貫通孔からバーナキャップへと侵入してしまったり、煮汁によりバーナカバーの貫通孔の部分および鋲もしくはビスが腐食してしまったり、上方からバーナカバーを見た際に鋲もしくはビスが見えてデザイン性が悪かったり、鋲もしくはビス等が必要となって部品点数が増大してコスト高となってしまう、といったことのないコンロバーナを提供することを課題とするものである。
【課題を解決するための手段】
【０００７】
上記課題を解決するために本発明の請求項１に係る発明は、環状のバーナ本体１のバーナベース１１上に環状のバーナキャップ２を載設して、バーナキャップ２の外周部又は／及びバーナベース１１の外周部に炎口（主炎口２２、保炎口２９）を設けると共に、バーナキャップ２の上面２ａ上に所定の間隔を隔ててバーナキャップ２の上面２ａを覆うバーナカバー３を配置して、バーナ本体１及びバーナキャップ２の中央に上下に開口した上下開口部４２を通ってバーナキャップ２の上面２ａ側に導入される空気をバーナキャップ２の上面２ａとバーナカバー３との間に通してバーナキャップ２の外周部に導くようにしたコンロバーナ４において、バーナキャップ２の上面２ａにバーナカバー３の支持及び係止を行うための支持係止部５を設けると共に、バーナカバー３の下面３ｂに前記バーナキャップ２の支持係止部５に係止されてバーナカバー３の支持を行うための被支持係止部６を設けて成ることを特徴とするものである。
【０００８】
このような構成とすることで、バーナカバー３に鋲もしくはビスを挿通するための従来例のような貫通孔４’を形成せずに済んで、バーナカバー３に零れ落ちた煮汁が貫通孔４’からバーナキャップ２へと侵入してしまったり、バーナカバー３に零れ落ちた煮汁により貫通孔４’の部分および鋲もしくはビスが腐食してしまったり、上方からバーナカバー３を見た際に鋲もしくはビスが見えてデザイン性が悪くなってしまったり、鋲もしくはビス等が必要なため部品点数が増大してコスト高となってしまう、といったことがない。
【０００９】
また請求項２に係る発明は、請求項１に係る発明において、バーナキャップ２の支持係止部５とバーナカバー３の被支持係止部６とを周方向に複数設けるものであって、一部の支持係止部５と被支持係止部６とに、側方から係合されて上下方向への抜け止めとなると共に係合した状態でバーナカバー３が前記係合した部分を中心に回動可能となる側方係合部５ａと側方被係合部６ａとを設け、残りの支持係止部５と被支持係止部６とに、上下方向に係合されて側方への抜け止めとなる上下係合部５ｂと上下被係合部６ｂとを設けて成ることを特徴とするものである。
【００１０】
このような構成とすることで、バーナカバー３のバーナキャップ２への取り付け、取り外しが容易に行われると共に、ひとりでにバーナカバー３がバーナキャップ２から外れたりすることがない。
【００１１】
また請求項３に係る発明は、請求項２に係る発明において、バーナキャップ２の支持係止部５とバーナカバー３の被支持係止部６とを周方向に略１２０°毎に三個ずつ設けるものであって、支持係止部５のうちの二個に、バーナキャップ２の上面２ａから上方に突出する立設片５２と該立設片５２の上端部から外方に向けて連設される横片５３とからなる側方係合部５ａを設け、前記側方係合部５ａを設けた支持係止部５に対応する被支持係止部６に、バーナカバー３の下面から下方に垂下される垂下片６２と該垂下片６２の下端部から内方に向けて連設される横片６０とからなる側方被係合部６ａを設け、残りの支持係止部５に、バーナキャップ２の上面２ａから上方に突出する被挟持片５１と該被挟持片５１の上端部から略水平方向に連設されて上面がバーナカバー３の載置面となると共に位置決め片６１が挿入されて位置決めする切欠５４ａを形成した載置片５４とからなる上下係合部５ｂを設け、前記上下係合部５ｂを設けた支持係止部５に対応する被支持係止部６に、バーナカバー３の下面３ｂから下方に垂下される位置決め片６１と該位置決め片６１の下端部から外方に向けて連設される抜け止め片６３とからなる上下被係合部６ｂを設け、バーナカバー３の被支持係止部６の側方被係合部６ａをバーナキャップ２の支持係止部５の側方係合部５ａに係合してからバーナカバー３の残りの支持係止部５の上下係合部５ｂをバーナキャップ２の残りの被支持係止部６の上下被係合部６ｂに係合した状態で、被挟持片５１と位置決め片６１とをクリップピン７にて挟持して成ることを特徴とするものである。
【００１２】
このような構成とすることで、支持係止部５および被支持係止部６を簡単な構成で形成することができる。
【発明の効果】
【００１３】
本発明は叙述の如く構成されているので、バーナカバーに鋲もしくはビスを挿通するための貫通孔を形成せずに済んで、バーナカバーに零れ落ちた煮汁が貫通孔からバーナキャップへと侵入してしまったり、バーナカバーに零れ落ちた煮汁により貫通孔の部分および鋲もしくはビスが腐食してしまったり、上方からバーナカバーを見た際に鋲もしくはビスが見えてデザイン性が悪くなってしまったり、鋲もしくはビス等が必要なため部品点数が増大してコスト高となってしまう、といったことがないものである。
【発明を実施するための最良の形態】
【００１４】
以下、本発明のコンロバーナをガス調理器に用いた例について添付図面に示す実施形態に基いて説明する。
【００１５】
ガス調理器８は、図８に示すように、天板８１に三つのガスコンロ８２を備えている。各ガスコンロ８２に設けてあるコンロバーナ４は、図９、図１０に示すように示すようにバーナ本体１の混合室１０の上にバーナキャップ２を着脱自在に載置して主体が構成されている。このコンロバーナ４には三つのガスコンロ８２にぞれぞれ対応する大バーナ４ａと標準バーナ４ｂと小バーナ４ｃとがある。大バーナ４ａ、標準バーナ４ｂ、小バーナ４ｃは基本的に同じ構造であり、以下に本発明のコンロバーナ４を適用する大バーナ４ａについて説明する。
【００１６】
このコンロバーナ４はガラス天板のような天板８１の貫通孔８５から天板８１上に露出させてあり、バーナ本体１と天板８１の貫通孔８５との間に円環状のバーナリング８６を介装してある。詳しくは、バーナリング８６と天板８１とはバーナリング８６に設けたパッキン８７を介して水密構造で固定され、バーナ本体１とバーナリング８６とはバーナ本体１に設けたパッキン１８を介して水密構造で固定されており、つまりバーナ本体１と天板８１とは水密構造で固定されており、天板８１から煮汁等が下に落ちるのを防止している。
【００１７】
また、ガス調理器８の天板８１には五徳８８が貫通孔８５を取り巻くようにして載置される。詳しくは、五徳８８は、天板８１に載置する環状の脚部８８ａと、この脚部８８ａの任意箇所から上方且つ中央方向に突設して鍋などの調理具を載置させる複数の爪部８８ｂとで構成されており、脚部８８ａに設けた係止部を天板８１に取付けたバーナリング８６の被係止部に係止させるなどして周方向への廻り止めが為されて天板８１上に載置されるのである。また、以上に述べた大バーナ４ａではなく、標準バーナ４ｂにおいて、後述するバーナカバー３に開口を形成して鍋底温度センサーＳを前記開口を介して上方に臨ませて設置してある。この鍋底温度センサーＳにてコンロバーナ４に鍋を設置したときの鍋底の温度を検出し、この検出した温度に応じてコンロバーナ４の燃焼の各種制御ができるようになる。
【００１８】
バーナ本体１は図９、図１０に示すように示すように混合管８３を一体に有するものであり、本例の場合、このバーナ本体１及び混合管８３はＡＤＣ１２等のアルミダイキャスト成形品である。混合管８３の基端には燃料としてのガスを吐出するガスノズル８４が配置され、ガスノズル８４からガスを吐出すると、混合管８３の基端から一次空気が吸入されて混合管８３内でガスと一次空気とが混合されて混合ガスが生成されるようになっている。バーナ本体１は円環状に形成されており、更に、後述するがバーナ本体１の内周側の空間（後述する上下開口部４２）を通っても燃焼用の二次空気が供給されるようになっている。このバーナ本体１には円環状の混合室１０を設けてあり、この混合室１０は混合管８３に連通している。詳しくは、混合室１０は、内部に上下開口部４２（４２ｂ）を形成する内筒部１２と、内筒部１２の径外方向に所定の間隔をあけて重ねて配置した外筒部１３と、内筒部１２及び外筒部１３の下端同士を連結する下面部１４とで囲まれた上方に開口する円環状の空間部位である。この混合室１０の下面部１４には混合管８３が連結する側の端部から反対側の端部に向けて徐々に上方に位置するような傾斜面１５が形成されている。つまり、バーナ本体１の上下開口部４２はその下部において下方のみならず側方にも開口するように形成されている。バーナ本体１の外筒部１３の上面には円環状をしたバーナベース１１が設けてあると共に、このバーナベース１１上には円環状をしたバーナキャップ２が載設される。本例の場合、バーナキャップ２はバーナ本体１と同様にＡＤＣ１２等のアルミダイキャスト成形品でその外径は約φ６０ｍｍとなっており、このバーナキャップ２が載設されるバーナベース１１の外径もバーナキャップ２の外径と略同じに形成してある。なお、標準バーナ４ｂのバーナベース１１及びバーナキャップ２の外径も大バーナ４ａと同様に約φ６０ｍｍであるが、小バーナ４ｃについてはこれよりも小径となっている。
【００１９】
バーナキャップ２は、図３、図４、図５に示すように、中央に上下に開口した上下開口部４２（４２ａ）を有する円環状のブロック体であって、バーナキャップ２の下面の外周部がバーナベース１１に載置され、これにより混合室１０は概ね密閉された空間となる。すなわち、バーナ本体１のバーナベース１１の内側には円筒状をした上記内筒部１２と外筒部１３とで二重筒状となり、一方、バーナキャップ２においては、その円環状をした形状の内端縁から下方に向けてキャップ筒部２１が設けてあって、バーナキャップ２の外周部をバーナベース１１上に載置した時に図９に示すようにバーナ本体１の内筒部１２内にバーナキャップ２のキャップ筒部２１が略嵌入される状態となり、これにより、バーナ本体１の内筒部１２と外側のバーナベース１１との空間がバーナキャップ２によって上方が閉じられて混合室１０となる。
【００２０】
バーナキャップ２の下面の外周のバーナベース１１に載置される部分には、周方向に放射状に複数の主炎口用溝２２ａを凹設してあり、バーナキャップ２をバーナ本体１のバーナベース１１の上に載置した際、主炎口用溝２２ａによってバーナベース１１及びバーナキャップ２の当接部分の外側の大気と内側の混合室１０とが連通し、混合室１０の混合ガスが主炎口用溝２２ａを通って外側へと流れ、主炎口用溝２２ａの外側の開口が前記混合ガスが燃焼する主炎口２２となっている。本例では、隣接する２個の主炎口２２で１組となるツイン炎口ＴＥを形成してある。図１１に示すように、に示すように、各ツイン炎口ＴＥでは隣接する主炎口２２間の外周面を他の部分の外周面より内周側に凹没して連通凹所２２ｂを形成してある。言い換えれば、周方向の１つ置きに隣接する主炎口２２間の外周面に他の部分の外周面より内周側に凹没した連通凹所２２ｂを形成することでツイン炎口ＴＥを形成してある。このようにツイン炎口ＴＥにしてあると、大火で燃焼するときは各主炎口２２で夫々独立して火炎が形成されるように燃焼するが、小火で燃焼するとき隣接する主炎口２２に形成される火炎が連通凹所２２ｂで繋がって燃焼することで小火になっても消火することがなくて小火性能が向上し、本例ではターンダウン比１３．６を達成している。
【００２１】
またバーナベース１１の上面には図１０に示すように全周に亙って凹段部１１ａを設けてあって、バーナベース１１にバーナキャップ２を載置することにより凹段部１１ａにて全周に亙るように保炎口２９を形成してある。本例では、バーナキャップ２の主炎口用溝２２ａ間に下方に開口する凹部２３が形成してあり、この凹部２３内が混合ガスが溜まって減圧される溜まり空間となると共に、凹部２３の内方側（バーナキャップ２の中心側）の壁部に混合室１０から前記凹部２３へ混合ガスを流入させる一つ又は複数の溝や開口からなる流入部２３ａを設けてあり、保炎口２９には、混合室１０から前記流入部２３ａ、凹部２３を介して流量が絞られ且つ流速が減速された混合ガスが供給されるようになっている。混合室１０から混合ガスを供給して点火すると、主炎口２２に火炎の大きな主炎が形成されると共に保炎口２９に火炎の小さな保炎が全周に亙って形成されるようになっている。
【００２２】
またバーナキャップ２の上面２ａには隣り合う主炎口２２の間の位置で放射状に二次空気供給用の凹溝２８を凹設してあり、バーナ本体１の内筒部１２内から供給された燃焼用の二次空気が凹溝２８を介して主炎口２２の両側に供給されるようになっている。これにより天板８１の上でバーナ本体１の外周から供給される燃焼用の二次空気の量が少なくとも凹溝２８を介して内周側からも二次空気が供給されることにより充分に二次空気が供給されて安定した燃焼をする。またバーナキャップ２の上面２ａにはバーナキャップ２の上面２ａに煮汁等が付着するのを防止するための後述するバーナカバー３が設置される。
【００２３】
バーナカバー３は、バーナキャップ２の上面２ａの上方に図９に示すように所定の間隔を隔てて配置される円盤状をしたものである（図１、図２参照）。バーナ本体１及びバーナキャップ２の上下開口部４２（４２ａ、４２ｂ）から燃焼用の二次空気が下方より供給され、上方に流れる二次空気はバーナカバー３に当たることで曲げられ、バーナカバー３の下面３ｂとバーナキャップ２の上面２ａとの間の隙間を通って外周に流れ、炎口（主炎口２２、保炎口２９）で燃焼する火炎に燃焼用の二次空気として供給される。二次空気がバーナカバー３とバーナキャップ２の上面２ａとの間を空気が通るとき、バーナキャップ２の上面２ａの各凹溝２８に沿って空気が導入され、凹溝２８を通った空気が炎口の両側に供給されて炎口に燃焼用の二次空気が効果的に供給される。これにより安定した燃焼を行わせることができる上に、凹溝２８及びバーナカバー３の下面３ｂとバーナキャップ２の上面２ａとの間の隙間に上記のように二次空気が通ることでバーナキャップ２の上面２ａの部分が冷却され、アルミニウムにて形成せるバーナキャップ２でも溶けるというような弊害がなくなる。
【００２４】
そして本発明においては、この凹部２３の左右方向（バーナキャップ２の周方向）の中央部に柱部２３ｂを設けてある。主炎口２２間の保炎は、凹部２３内に流入して保炎口２９から流出した混合ガスが燃焼して形成されるものであるが、この時、凹部２３内に柱部２３ｂが無い場合には、混合ガスはその多くが凹部２３の中央部を流れて図１５に示す従来例ように主炎口２２間の保炎Ｆ２は左右方向の中央部が大きくなる。この場合、中央部の大きい保炎Ｆ２によって二次空気の流れが悪くなり、主炎Ｆ１の燃焼が悪化すると共に保炎Ｆ２の主炎Ｆ１に接する部分が小さくなって保炎Ｆ２としての機能が低下してしまう。そこで、本発明のように凹部２３の左右方向の中央部に柱部２３ｂを設けるものである。柱部２３ｂは、バーナキャップ２をバーナベース１１上に載置した際に図１２に示すように柱部２３ｂの下面がバーナベース１１の段差１７の内側の上面に当接又は近接するように位置して、凹部２３の中央部を流れる混合ガスをなくして保炎口２９の中央部での燃焼量を小さくするものである。これにより、図１３に示すように保炎Ｆ２は中央部が小さくなると共に両端部の主炎Ｆ１に接する部分が大きくなって、主炎Ｆ１の燃焼の悪化を防止すると共に保炎としての機能が損なわれず、少ない混合ガスによって保炎の機能を維持することができる。
【００２５】
五徳８８は本例の場合、図８に示すように６個の爪部８８ｂを等間隔に設けてあり、６箇所のうち５箇所は隣り合う主炎口２２間の間隔を広くしてあり、この広い間隔を隔てて隣り合う主炎口２２間は保炎口２９で保炎だけが形成されるようになっている。残りの１箇所でも隣り合う主炎口２２間の間隔を広くしてあり、この隣り合う主炎口２２間に点火用炎口２４を形成してある。この点火用炎口２４は点火炎を形成して保炎口２９や主炎口２２から出る混合ガスに点火できるようになっている。
【００２６】
この点火用炎口２４に対応する部分には図９に示すように点火スパークを発生して点火用炎口２４から出る混合ガスに点火する点火装置２５を付設してある。点火装置２５は点火プラグ２５ａと点火スパークターゲット２５ｃとで主体が構成されている。点火プラグ２５ａはバーナ本体１に装着してあり、点火プラグ２５ａの電極２５ｂが上方に突出している。バーナキャップ２の点火用炎口２４を設けた部分の上方には点火用炎口２４に煮汁等が侵入するのを阻止する庇部２６を外方に突出するように設けてあり、庇部２６の下面には点火スパークターゲット２５ｃを設けてあり、点火プラグ２５ａの電極２５ｂと点火スパークターゲット２５ｃが所定のギャップを隔てて対向している。そして点火用炎口２４から混合ガスを吐出すると共に点火装置２５で点火スパークを発生すると、点火用炎口２４から吐出する混合ガスに点火されて点火炎が形成されるようになっている。また点火用炎口２４と混合室１０との間に滞留用空間２７を設けてあり、この滞留用空間２７と混合室１０とを連通口２７ａを介して連通させてあり、混合室１０から供給される混合ガスを連通口２７ａから滞留用空間２７に流入させて滞留用空間２７に一旦滞留させて点火用炎口２４から吐出させるようになっている。
【００２７】
五徳８８の６個の爪部８８ｂのうち５個の爪部８８ｂに対応する部分では隣り合う主炎口２２の間隔を他の部分の標準の間隔より広くしてあり、この隣り合う主炎口２２の間隔を広くした部分ではこれらの間に保炎口２９を設けて保炎だけが形成されるようになっている。これにより主炎口２２に形成される火炎が爪部８８ｂを炙るようなことがなくなり、この部分で燃焼が悪くならず、無駄な熱の消費にて熱効率が悪くなることがない。本例ではこの爪部８８ｂを跨いて隣り合う一対の主炎口２２に次の構造を採用している。つまり、図１１に示すように隣り合う主炎口２２間の保炎口２９と主炎口２２との間の角部に面取りｃを形成している。このように面取りｃを形成したことにより主炎口２２に形成される火炎は保炎口２９にはみ出すように形成され、隣り合う主炎口２２に形成される火炎が近付くために火移りしやすくなる。
【００２８】
また本例では、上記爪部８８ｂに対応する部分にある保炎口２９において、バーナベース１１の上面がその上に載置されたバーナキャップ２の外面よりも外方に突出するようにテラス部Ｔを形成してある。バーナベース１１にバーナキャップ２を載置した状態では、上述したようにバーナベース１１とバーナキャップ２の外径を略同じに形成してあるため、テラス部Ｔを形成していない部分では図１２（ａ）に示すようにバーナベース１１とバーナキャップ２の外面が略面一となり、この外面の下方から多くの二次空気が主炎口２２、保炎口２９に供給されるが、上記のようにバーナベース１１にテラス部Ｔを形成した部分においては、図１２（ｂ）に示すようにテラス部Ｔによって下方からの二次空気が妨げられて保炎口２９への供給量が減少し、この保炎口２９での燃焼量を小さくすると共に主炎Ｆ１及び保炎Ｆ２を安定させることができる。これにより、爪部８８ｂが炙られるのをより一層抑えることが可能となる。
【００２９】
そして、本発明はバーナカバー３のバーナキャップ２への取り付け構造に特徴を有するものであり、以下に説明する。
【００３０】
バーナキャップ２の上面２ａには、図３、図４に示すようにバーナカバー３の支持及び係止を行うための支持係止部５を設けるものであると共に、バーナカバー３の下面３ｂには、図１、図２に示すように前記バーナキャップ２の支持係止部５に係止されてバーナカバー３の支持を行うための被支持係止部６を設けるものであり、これにより従来例のようにバーナカバー３に貫通孔４’（図１６の従来例参照）を形成する必要がなくなる。
【００３１】
バーナキャップ２の支持係止部５およびバーナカバー３の被支持係止部６は、周方向に複数設けるものであって、本例ではそれぞれ周方向に略１２０°毎に三個設けてある。
【００３２】
そして、バーナキャップ２の支持係止部５とバーナカバー３の被支持係止部６の一部に、側方から係合されて上下方向への抜け止めとなると共に係合した状態でバーナカバー３が前記係合した部分を中心に回動可能となる側方係合部５ａと側方被係合部６ａとを設け、残りの支持係止部５と被支持係止部６とに、上下方向に係合されて側方への抜け止めとなる上下係合部５ｂと上下被係合部６ｂとを設けるものである。
【００３３】
本実施形態では、バーナキャップ２の三個の支持係止部５のうちの二個については、バーナキャップ２の上面２ａから上方に突出する立設片５２と、この立設片５２の上端部から外方に向けて連設される横片５３とからなる側面視略逆Ｌ字状をした側方係合部５ａを形成し、この側方係合部５ａを形成した支持係止部５に対応する二個の被支持係止部６には、バーナカバー３の下面３ｂから下方に垂下される垂下片６２と、この垂下片６２の下端部から内方に向けて連設される横片６０とからなる側面視略Ｌ字状をした側方被係合部６ａを形成してある。
【００３４】
そして、バーナキャップ２の残りの一個の支持係止部５は、バーナキャップ２の上面２ａから上方に突出する被挟持片５１と、この被挟持片５１の上端部から略水平方向に連設されて上面２ａがバーナカバー３の載置面となると共に後述する位置決め片６１が挿入されて位置決めする切欠５４ａを形成した載置片５４とからなる上下係合部５ｂを形成し、バーナカバー３の残りの一個、すなわち、前記上下係合部５ｂを形成したバーナキャップ２の支持係止部５に対応するバーナカバー３の被支持係止部６には、バーナカバー３の下面３ｂから下方に垂下される位置決め片６１と、この位置決め片６１の下端部から外方に向けて連設される抜け止め片６３とからなる上下被係合部を形成してある。
【００３５】
バーナカバー３のバーナキャップ２への取り付けは、まず、バーナカバー３の二個の被支持係止部６に形成した側方被係合部６ａを側方よりバーナキャップ２の二個の支持係止部５に形成した側方係合部５ａ内に係合させるが、挿入する際には、バーナカバー３の残りの一個の被支持係止部６は、バーナキャップ２の残りの一個の支持係止部５の上方に位置している。つまり、この側方被係合部６ａと側方係合部５ａの係合にあっては、バーナカバー３がバーナキャップ２に対して傾斜した状態で係合するもので、係合する際および係合した状態においてバーナカバー３とバーナキャップ２とが為す角度は、上面２ａを水平に設置したバーナキャップ２に対し、バーナカバー３が水平状態から一定の傾斜角度までの任意の角度をとり得るようになっている。ここで、バーナキャップ２の側方係合部５ａとバーナカバー３の側方被係合部６ａの係合について更に説明する。
【００３６】
そして、このバーナカバー３の二個の側方被係合部６ａの横片６０をバーナカバー３の二個の側方係合部５ａの横片５３より下側に位置させた状態で、バーナカバー３を側方へ移動させて、バーナカバー３の前記横片６０に形成した切欠６０ａ内にバーナキャップ２の立設片５２を挿入させ、側方係合部５ａと側方被係合部６ａとの係合が完了する。この状態では、バーナカバー３の側方（水平方向）の移動は、バーナキャップ２の立設片５２をバーナカバー３の横片６０の切欠６０ａ内に挿入させた方向と反対方向にのみ移動しうるため、ある程度の側方への抜け止めとなり、またこの状態では、バーナカバー３の下面３ｂがバーナキャップ２の横片５３の上面に載置されていて、バーナカバー３の上下方向の移動は、バーナカバー３の横片６０の突出部６０ｂ（図１等参照）がバーナキャップ２の横片５３の下側に係合されていて上方への移動が規制されるため、上下方向の抜け止めとなるものである。
【００３７】
また、この係合状態では、バーナカバー３の横片６０がバーナキャップ２の上面２ａと横片５３との間にあり、この横片６０の厚みは上記のように１ｍｍ以下の薄いものであって、バーナキャップ２の上面２ａと横片５３との間の上下の隙間は、立設片５２の上下長さより若干短い数ｍｍ程であるため、バーナカバー３の横片６０はバーナキャップ２の上面２ａと横片５３との間の隙間で上下に傾斜し得るものである。
【００３８】
次に、上記係合状態した部分を中心としてバーナカバー３の残りの一個の被支持係止部６（すなわち上下被係合部６ｂを形成した被支持係止部６）側の端部を下方に回動させ、バーナカバー３の上下被係合部６ｂをバーナキャップ２の残りの一個の支持係止部５の上下係合部５ａに載置する。上下被係合部６ｂを上下係合部５ｂに載置した際、上下被係合部６ｂの位置決め片６１が上下係合部５ｂの載置片５４の切欠５４ａ内に挿入され、側方への移動が規制される。これにより、上記側方係合部５と側方被係合部６による抜け止め方向と反対方向への抜け止めがなされ、側方の全方向への抜け止めがなされるものである。
【００３９】
またこの時、バーナカバー３の上下被係合部６ｂの位置決め片６１と、バーナキャップ２の上下係合部５ｂの被挟持片５１とは当接又は近接した状態となるため、前記位置決め片６１と被挟持片５１とをクリップピン７で挟持して上下の抜け止めを行う。クリップピン７は、図６に示すように、鉄系やアルミニウム系の金属からなり、弾性を有する線材を大略Ｕ字状に折り返して形成してあり、折り返した両側の側片７１の間に上記位置決め片６１と被挟持片５１とを圧入するように側方より取り付けていき、この両側の側片７１にて位置決め片６１と被挟持片５１とを挟持する。両側の側片７１の途中には、部分的に対向する側片７１に向けて凸となるように抜け止め部７２が形成してあり、位置決め片６１と被挟持片５１とを挟持した状態でクリップピン７が挿し込んだ方向に抜けるのが防止される（図７参照）。また、クリップピン７で両被挟持片位置決め片６１と被挟持片５１とを挟持した状態では、バーナカバー３の位置決め片６１の下端から側方に突出する抜け止め片６３により下方に抜け落ちるのが防止される。
【００４０】
上述した本発明のコンロバーナ４にあっては、バーナキャップ２の上面２ａに支持係止部５を設けると共に、バーナカバー３の下面３ｂに被支持係止部６を設けたことで、バーナカバー３に鋲もしくはビスを挿通するための貫通孔４’（図１６の従来例参照）を形成せずに済んで、従来例のように、バーナカバー３に貫通孔４’を形成してこの貫通孔４’に鋲もしくはビスを挿通してバーナキャップ２に固定する場合のように、バーナカバー３に零れ落ちた煮汁が貫通孔４’からバーナキャップ２へと侵入してしまったり、バーナカバー３に零れ落ちた煮汁により貫通孔４’の部分および鋲もしくはビスが腐食してしまったり、上方からバーナカバー３を見た際に鋲もしくはビスが見えてデザイン性が悪くなってしまったり、鋲もしくはビス等が必要なため部品点数が増大してコスト高となってしまう、といったことがないものである。
【００４１】
また本実施形態のように、一部の支持係止部５と被支持係止部６とに、側方から係合されて上下方向への抜け止めとなると共に係合した状態でバーナカバー３が前記係合した部分を中心に回動可能となる側方係合部５ａと側方被係合部６ａとを設け、残りの支持係止部５と被支持係止部６とに、上下方向に係合されて側方への抜け止めとなる上下係合部５ｂと上下被係合部６ｂとを設けたことで、バーナカバー３のバーナキャップ２への取り付け、取り外しが容易に行われると共に、ひとりでにバーナカバー３がバーナキャップ２から外れたりすることがない。
【図面の簡単な説明】
【００４２】
【図１】本発明のコンロバーナのバーナカバーを示し、（ａ）は下面図であり、（ｂ）は断面図である。
【図２】同上のバーナカバーを示し、（ａ）は斜め上方から見た斜視図であり、（ｂ）は斜め下方から見た斜視図である。
【図３】バーナキャップの斜め上方から見た斜視図である。
【図４】バーナキャップの斜め上方から見た（図３とは別角度から見た）斜視図である。
【図５】バーナキャップの下面図である。
【図６】クリップピンの正面図である。
【図７】バーナキャップの被挟持部をクリップピンの両側片で挟持した状態を示す斜視図である。
【図８】ガス調理器の平面図である。
【図９】ガス調理器の要部の側断面図である。
【図１０】コンロバーナの分解斜視図である。
【図１１】バーナ本体にバーナキャップを載設した状態の正面拡大図である。
【図１２】バーナ本体にバーナキャップを載設した状態を示し、（ａ）は主炎口部分の断面図であり、（ｂ）は保炎口部分の断面図である。
【図１３】主炎および保炎の燃焼状態を説明する説明図である。
【図１４】バーナキャップとバーナカバーの係合状態を示し、（ａ）は側方係合部及び側方被係合部の係合状態の説明図であり、（ｂ）は上下係合部及び上下被係合部の係合状態の説明図である。
【図１５】従来の主炎および保炎の燃焼状態を説明する説明図である。
【図１６】従来例の説明図である。
【符号の説明】
【００４３】
１  バーナ本体
２  バーナキャップ
３  バーナカバー
４  コンロバーナ
５  支持係止部
６  被支持係止部
７  クリップピン
【図１】
2008008596.tif 000003
【図２】
2008008596.tif 000004
【図３】
2008008596.tif 000005
【図４】
2008008596.tif 000006
【図５】
2008008596.tif 000007
【図６】
2008008596.tif 000008
【図７】
2008008596.tif 000009
【図８】
2008008596.tif 000010
【図９】
2008008596.tif 000011
【図１０】
2008008596.tif 000012
【図１１】
2008008596.tif 000013
【図１２】
2008008596.tif 000014
【図１３】
2008008596.tif 000015
【図１４】
2008008596.tif 000016
【図１５】
2008008596.tif 000017
【図１６】
2008008596.tif 000018